(57)【特許請求の範囲】
【請求項１】
投入された貨幣を金種毎に振り分けて計数し、前記金種毎に設けられた収納庫もしくは混合金種の収納庫に収納し、上位制御部からの出金指示に基づいて金種及び枚数を決定して前記収納庫から釣銭を出金する貨幣処理機において、前記出金指示金額を前記上位制御部から受け取る受取部と、受け取った前記出金指示金額に応じて金種及び枚数を演算する演算部と、前記各収納庫の収納貨幣のフルもしくはニアフル状態を検知する検知手段と、を備え、前記演算部は全金種の前記各収納庫から、前記フルもしくはニアフル状態を検知した収納庫の金種を優先的に割り当てて最小構成の金種及び枚数を演算し、前記優先的に割り当てる金種の枚数を出金すると前記出金した各収納庫の収納貨幣の収納枚数が所定の下限枚数を下回る場合には、該収納貨幣の収納枚数が所定の下限枚数を下回る前記各収納庫の収納貨幣を優先的に割り当てる金種から除外して、前記収納庫から釣銭を出金することを特徴とする貨幣処理機。  
【請求項２】
前記検知手段により検知した前記各収納庫の前記フルもしくはニアフル状態及び前記優先的に割り当てた金種を表示することを特徴とする請求項１記載の貨幣処理機。
【発明の詳細な説明】
【技術分野】
【０００１】
本発明は、投入された貨幣を金種毎に振り分けて各々の収納庫に収納するとともに、出金指示により釣銭を演算して各収納庫から貨幣を出金する貨幣処理機に関する。
【背景技術】
【０００２】
スーパーマーケット等のＰＯＳ（Pint Of Sales）レジには、預かり金の入金及び釣銭の出金を行うための貨幣処理機が使用されている。このような貨幣処理機は、通常ＰＯＳ等の上位機からの出金指示（釣銭指示）に対して、出金金額を最小の金種枚数に構成して出金している。また、出金指示に対して収納貨幣に不足金種があった場合には、その不足金種の一つ下の額面の金種で再構成して出金している。
【０００３】
一方で、収納庫がフル状態になって預かり金の収納ができなくなった場合には、レジを停止させてしまうことになる。これに対しては、収納庫の上流側（入金側）に収納庫に入りきれない貨幣を待避収納するオーバーフロー庫を備えるか、あるいは収納庫の下流側（出金側）に収納庫に入りきれなくなった貨幣を待避収納するオーバーフロー庫を備えたものが知られている（例えば、特許文献１〜３参照）。このオーバーフロー庫は通常、出金のための繰り出し機構を持たない構成となっている。
【０００４】
図３はこのようなオーバーフロー庫を入金側に備えた従来の貨幣処理機の構成を示すブロック図である。ここでは、硬貨を処理する硬貨処理機の場合を示す。
この貨幣処理機は、硬貨が投入される投入部１、投入された硬貨を識別する検銭部２、硬貨を直径により金種毎に振り分けて計数する振分部３、金種毎に振り分けられた硬貨をそれぞれの収納庫に収納するとともに計数払出しを行う収納庫部４、収納庫部４から払出された硬貨を保留し搬送する出金搬送部５、収納庫部４から払出された硬貨を出金する出金口６、入金側のオーバーフロー庫７、及びオーバーフロー庫７へ硬貨を収納するためのオーバーフローゲート８が設けられている。
【０００５】
上記収納庫部４は、５００円収納庫４ａ、１０円収納庫４ｂ、１００円収納庫４ｃ、５円収納庫４ｄ、５０円収納庫４ｅ、及び１円収納庫４ｆに分かれている。そして、投入された硬貨は振分部３にて直径の小さい順に各々の収納庫４ａ〜４ｆに収納されていく。
【０００６】
図４は上記構成の貨幣処理機の動作の流れを示す図である。投入部１に投入（Ｓ１１）された硬貨は、検銭部２にて金種が特定される（Ｓ１２）。このとき、収納庫部４に入りきれない硬貨はオーバーフローゲート８を経て（Ｓ１３）、オーバーフロー庫７へ待避収納され（Ｓ１８）、収納庫部４に収納可能な硬貨は振分部３により金種別に振り分けられて（Ｓ１４）、収納庫部４に収納される（Ｓ１５）。また、出金時には硬貨が収納庫部４から出金搬送部５に払出され（Ｓ１６）、出金口６に排出される（Ｓ１７）。
【０００７】
図５はオーバーフロー庫を出金側に備えた従来の貨幣処理機の構成を示すブロック図であり、図３と同一符号は同一構成要素を示している。この貨幣処理機は、出金側のオーバーフロー庫９と、このオーバーフロー庫９へ硬貨を収納するためのオーバーフローゲート１０が設けられている。
【０００８】
図６は上記構成の貨幣処理機の動作の流れを示す図であり、図４と同一ステップ番号は同一処理内容を示している。投入部１に投入（Ｓ１１）された硬貨は、振分部３により金種別に振り分けられ（Ｓ１４）、収納庫部４に収納される（Ｓ１５）。出金時には硬貨が収納庫部４から出金搬送部５に払出され（Ｓ１６）、オーバーフローゲート１０を経て（Ｓ１９）、出金口６に排出される（Ｓ１７）。また、収納庫部４に入りきれなかった硬貨はオーバーフローゲート１０を経て（Ｓ１９）、オーバーフロー庫９へ待避収納される（Ｓ２０）。
【特許文献１】特開平９−３５１１９号公報
【特許文献２】特開平１０−３０２１０６号公報
【特許文献３】特開２０００−１８２１１９号公報
【発明の開示】
【発明が解決しようとする課題】
【０００９】
しかしながら、上記のような従来の貨幣処理機では、収納庫に入りきれない貨幣あるいは収納庫に入りきれなくなった貨幣を待避収納するオーバーフロー庫等の待避収納部が必要となるが、この待避収納部は出金のための貨幣の繰り出し機構を持っていないので、待避収納部に収納された貨幣は出金に用いることができず、「死に金」となってしまうという問題点がある。
【００１０】
本発明は、このような点に鑑みてなされたものであり、オーバーフロー庫等の待避収納部を設けずとも、収納庫がフル状態になった場合でもレジを停止させることなく、また、オーバーフロー庫等の待避収納部に収納して貨幣を出金に関して「死に金」とすることのない貨幣処理機を提供することを目的とする。
【課題を解決するための手段】
【００１１】
本発明では上記課題を解決するために、投入された貨幣を金種毎に振り分けて計数し、前記金種毎に設けられた収納庫もしくは混合金種の収納庫に収納し、上位制御部からの出金指示に基づいて金種及び枚数を決定して前記収納庫から釣銭を出金する貨幣処理機において、前記出金指示金額を前記上位制御部から受け取る受取部と、受け取った前記出金指示金額に応じて金種及び枚数を演算する演算部と、前記各収納庫の収納貨幣のフルもしくはニアフル状態を検知する検知手段と、を備え、前記演算部は全金種の前記各収納庫から、前記フルもしくはニアフル状態を検知した収納庫の金種を優先的に割り当てて最小構成の金種及び枚数を演算し、前記優先的に割り当てる金種の枚数を出金すると前記出金した各収納庫の収納貨幣の収納枚数が所定の下限枚数を下回る場合には、該収納貨幣の収納枚数が所定の下限枚数を下回る前記各収納庫の収納貨幣を優先的に割り当てる金種から除外して、前記収納庫から釣銭を出金することを特徴とする貨幣処理機が提供される。
【００１２】
このような貨幣処理機によれば、各収納庫の貨幣収納状態に応じて出金指示金額の金種及び枚数を演算するので、オーバーフロー庫等の待避収納部を設けずとも、収納庫がフル状態になった場合でもレジを停止させることなく、また、オーバーフロー庫等の待避収納部に収納して貨幣を出金に関して「死に金」とすることがない。
【発明の効果】
【００１３】
本発明の貨幣処理機は、各収納庫の貨幣収納状態に応じて出金指示金額の金種及び枚数を演算するので、オーバーフロー庫等の待避収納部を設けずとも、収納庫がフル状態になった場合でもレジを停止させることなく、また、オーバーフロー庫等の待避収納部に収納して貨幣を出金に関して「死に金」とすることがないという利点がある。
【発明を実施するための最良の形態】
【００１４】
以下、本発明の実施の形態を図面を参照して説明する。
図１は本発明の実施の形態の貨幣処理機の構成を示すブロック図である。ここでは、硬貨を処理する硬貨処理機の場合を示す。
【００１５】
この貨幣処理機は、硬貨が投入される投入部１、硬貨を直径により金種毎に振り分けて計数する振分部３、金種毎に振り分けられた硬貨をそれぞれの収納庫に収納するとともに計数払出しを行う収納庫部４、収納庫部４から払出された硬貨を保留し搬送する出金搬送部５、収納庫部４から払出された硬貨を出金するトレー状の出金口６が設けられている。
【００１６】
上記収納庫部４は、５００円収納庫４ａ、１０円収納庫４ｂ、１００円収納庫４ｃ、５円収納庫４ｄ、５０円収納庫４ｅ、及び１円収納庫４ｆに分かれている。そして、投入された硬貨は振分部３にて直径の小さい順に各々の収納庫４ａ〜４ｆに収納されていく。
【００１７】
また、図示しないＰＯＳレジ（上位制御部）から出金指示金額（釣銭金額）を受け取る受取部１１と、受け取った出金指示金額に応じて金種及び枚数を演算する演算部１２と、各収納庫４ａ〜４ｆの貨幣収納状態を検知するそれぞれの検知手段１３ａ〜１３ｆが設けられている。
【００１８】
上記演算部１２は、検知手段１３ａ〜１３ｆの検知結果に応じて出金指示金額に対する最小構成の金種及び枚数を演算する。具体的には、検知手段１３ａ〜１３ｆは各々の収納庫４ａ〜４ｆの収納貨幣のフルもしくはニアフル状態を検知し、演算部１２はそのフルもしくはニアフル状態を検知した収納庫４ａ〜４ｆの金種を優先的に割り当てて演算する。
【００１９】
上記の貨幣処理機は、投入された貨幣を金種毎に振り分けて計数し、金種毎に設けられた収納庫もしくは混合金種の収納庫に収納し、ＰＯＳレジからの出金指示に基づいて金種及び枚数を決定して収納庫から釣銭を出金するものである。なお図示していないが、本実施の形態の貨幣処理機には、オーバーフロー庫と、このオーバーフロー庫に貨幣を入金側及び出金側から収納するためのオーバーフローゲートが設けられているが、これらのオーバーフロー庫及びオーバーフローゲートはなくてもよい。
【００２０】
図２は上記構成の貨幣処理機の動作の流れを示す図である。投入部１に投入（Ｓ１）された硬貨は、上記のオーバーフローゲートを経て（Ｓ２）、振分部３により金種別に振り分けられて（Ｓ３）、収納庫部４に収納されるか（Ｓ４）、あるいはオーバーフロー庫に収納される（Ｓ８）。また、出金時には硬貨が収納庫部４から出金搬送部５に払出され（Ｓ５）、オーバーフローゲートを経て（Ｓ６）、出金口６に排出されるか（Ｓ７）、あるいはオーバーフロー庫へ収納される（Ｓ８）。
【００２１】
次に、上記のＰＯＳレジに接続された貨幣処理機を釣銭機として使用する場合の具体的な動作について、順を追って説明する。
（１）お客の買い上げ品の登録（スキャン）が終了すると、ＰＯＳレジは合計額を計算し、その金額をＰＯＳレジの表示部に表示する。そして、通常はＰＯＳレジの担当者がその金額を読み上げ、お客は買い上げ額以上の貨幣を預かり金としてＰＯＳレジの担当者に渡す。
【００２２】
（２）ＰＯＳレジの担当者は、預かり金額を読み上げるとともに、ＰＯＳレジにその金額を打刻する。
（３）ＰＯＳレジは、「釣銭金額」＝「預かり金額（打刻額）−買い上げ額」を計算し、貨幣処理機に通知する。
【００２３】
（４）貨幣処理機は、受け取った金額に従い、各貨幣の金種及び枚数を演算し、釣銭を出金する。
（５）ＰＯＳレジの担当者は、レシート及び上記貨幣処理機から出金された貨幣をお客に渡す。
【００２４】
（６）お客が納得し、ＰＯＳレジを離れたら、預かり金を貨幣処理機に入金する。
以上で、貨幣の入金及び釣銭の出金が終了する。その際、上述のように出金に際しては最小構成の金種及び枚数を演算するが、上記の（４）で演算した金種、枚数が収納庫部４に存在しない場合は、その一つ下の額面に変換して出金する。例えば、９９９円の出金であれば、最小構成の金種及び枚数は表１に示すようになる。
【００２５】
【表１】
0005261879.tif 000002
【００２６】
しかし、例えば収納庫部４の５０円硬貨の収納枚数が０の場合は、１０円硬貨５枚で代替して出金するので、収納庫部４の収納枚数及び実際の払出し（出金）は表２に示すようになる。また、払出し後の収納庫部４の収納枚数は表３に示すようになる。
【００２７】
【表２】
0005261879.tif 000003
【００２８】
【表３】
0005261879.tif 000004
【００２９】
次に、上記の状態から（６）で別の取引きにて１００円硬貨が３枚入金された場合、１００円収納庫４ｃに収納可能なフル枚数が１２０枚であるとすると、１１９枚＋３枚＝１２２枚となるため、１２２枚−１２０枚＝２枚をオーバーフロー庫へ収納する。したがって、収納庫部４の収納枚数は表４に示すようになる。
【００３０】
【表４】
0005261879.tif 000005
【００３１】
ここで、本実施の形態の貨幣処理機では、上記のように検知手段１３ａ〜１３ｆにより各々の収納庫４ａ〜４ｆの収納貨幣のフルもしくはニアフル状態を検知しており、例えば１００円収納庫４ｃのニアフル枚数を１０１枚とした場合、上記の９９９円の出金時には収納庫部４の収納枚数及び実際の払出しは表５に示すようになる。また、払出し後の収納庫部４の収納枚数は表６に示すようになる。
【００３２】
【表５】
0005261879.tif 000006
【００３３】
【表６】
0005261879.tif 000007
【００３４】
このように、本実施の形態では、各収納庫４ａ〜４ｆの貨幣収納状態に応じて出金指示金額の金種及び枚数を演算するので、オーバーフロー庫等の待避収納部を設けずとも、収納庫がフル状態になった場合でもＰＯＳレジを停止させることなく、また、オーバーフロー庫等の待避収納部に収納して貨幣を出金に関して「死に金」とすることがない。
【００３５】
また、検知手段１３ａ〜１３ｆにより各々の収納庫４ａ〜４ｆの収納貨幣のフルもしくはニアフル状態を検知し、演算部１２にてそのフルもしくはニアフル状態を検知した収納庫４ａ〜４ｆの金種を優先的に割り当てて演算するが、この優先的に割り当てる金種はあらかじめ個別に設定することができ、優先的に割り当てる金種の枚数の下限もあらかじめ設定することができる。
【００３６】
表７に上記のフル及びニアフル枚数の設定例を示す。また、表８に優先出金の設定例を示し、表９にその優先出金の下限枚数の設定例（優先出金するとその枚数を下回る場合に優先出金しないための設定例）を示す。
【００３７】
【表７】
0005261879.tif 000008
【００３８】
【表８】
0005261879.tif 000009
【００３９】
【表９】
0005261879.tif 000010
【００４０】
また、検知手段１３ａ〜１３ｆにより検知した各収納庫４ａ〜４ｆのフルもしくはニアフル状態及び上記優先的に割り当てた金種を表示するようにしてもよい。
なお、上述の実施の形態では硬貨を扱う硬貨処理機の場合について説明したが、本発明の貨幣処理機は紙幣を扱う紙幣処理機の場合でもよく、あるいは紙幣と硬貨の両方を扱う貨幣処理機であってもよい。
【図面の簡単な説明】
【００４１】
【図１】本発明の実施の形態の貨幣処理機の構成を示すブロック図である。
【図２】実施の形態の貨幣処理機の動作の流れを示す図である。
【図３】オーバーフロー庫を入金側に備えた従来の貨幣処理機の構成を示すブロック図である。
【図４】図３の貨幣処理機の動作の流れを示す図である。
【図５】オーバーフロー庫を出金側に備えた従来の貨幣処理機の構成を示すブロック図である。
【図６】図５の貨幣処理機の動作の流れを示す図である。
【符号の説明】
【００４２】
１  投入部
３  振分部
４  収納庫部
４ａ  ５００円収納庫
４ｂ  １０円収納庫
４ｃ  １００円収納庫
４ｄ  ５円収納庫
４ｅ  ５０円収納庫
４ｆ  １円収納庫
５  出金搬送部
６  出金口
１１  受取部
１２  演算部
１３ａ〜１３ｆ  検知手段
【図１】
0005261879.tif 000011
【図２】
0005261879.tif 000012
【図３】
0005261879.tif 000013
【図４】
0005261879.tif 000014
【図５】
0005261879.tif 000015
【図６】
0005261879.tif 000016